(57)【要約】組立性および耐久性を向上するように、本発明は、上面部に収容溝が形成された底部、上記収容溝に回転可能に挿入され、回転時にワイヤが選択的に巻き取られるリール部、下端部が上記収容溝に固定される固定隔壁部と、上記リール部をカバーするように上記固定隔壁部の内周に沿って半径方向内側に延長され、中央部に中空型支持管部が形成された延長部と、上記延長部の上部に配置され、端部にラチェット結合部が形成された弾性翼部とを含むハウジング部、内周に上記ラチェット結合部に一方向の回転が拘束されるラチェット型ギアが突設され、外力によって昇降される昇降ギア部、および上記昇降ギア部の上部に結合されて一体として昇降および回転し、下面部に上記支持管部に沿って案内されて下降時に上記リール部の上面部に結合される昇降突起部が突設されたカバー部を含むワイヤ締め装置を提供する。【選択図】図２
2019504654.tif 000002
【特許請求の範囲】
【請求項１】
上面部に収容溝が形成された底部、
前記収容溝に回転可能に挿入され、回転時にワイヤが選択的に巻き取られるリール部、
下端部が前記収容溝に固定される固定隔壁部と、前記リール部をカバーするように前記固定隔壁部の内周に沿って半径方向内側に延長され、中央部に中空型支持管部が形成された延長部と、前記延長部の上部に配置され、端部にラチェット結合部が形成された弾性翼部とを含むハウジング部、
内周に前記ラチェット結合部に一方向の回転が拘束されるラチェット型ギアが突設され、外力によって昇降される昇降ギア部、および
前記昇降ギア部の上部に結合されて一体として昇降および回転され、下面部に前記支持管部に沿って案内されて下降時に前記リール部の上面部に結合される昇降突起部が突設されたカバー部を含むワイヤ締め装置。
【請求項２】
前記昇降ギア部には、前記支持管部の外周に対向するように配置され、内面部にスライド突起部が突設された複数の弾性片が備えられ、
前記支持管部の外周には、前記昇降ギア部の昇降時に前記スライド突起部が弾発的に係止される仮固定突部が突設されることを特徴とする請求項１に記載のワイヤ締め装置。
【請求項３】
前記昇降ギア部の側壁部内面には、前記固定隔壁部の外面に突設された係止突部にフック結合される第１フック突起が突設され、
前記第１フック突起の上端および前記係止突部の下端の間は、フック結合時に前記昇降ギア部の昇降間隔に対応して遊隔されるように備えられることを特徴とする請求項１に記載のワイヤ締め装置。
【請求項４】
前記昇降ギア部の側壁部は、前記固定隔壁部にフック結合され、
前記カバー部の側壁部は、前記昇降ギア部の側壁部を取り囲み支持するように前記昇降ギア部の側壁部にフック結合され、
前記カバー部の下面部には、前記昇降ギア部とギア結合されるギア組立部が備えられ、前記リール部の上面部には、前記昇降突起部と選択的にギア結合されるギア結合部が備えられることを特徴とする請求項１に記載のワイヤ締め装置。
【請求項５】
前記固定隔壁部の下端部には、前記収容溝の内周に突設された固定段突部にフック結合されるように外面部に固定突起が突設された複数のフック翼部が備えられ、
前記弾性翼部の内面には、前記支持管部の外周に向かって半径方向内側に突設された間隔維持部が備えられることを特徴とする請求項１に記載のワイヤ締め装置。
【請求項６】
内周に円周方向に沿って一方向ラチェットギアが形成されたハウジング部、
前記ハウジング部の内側に回転可能に挿入され、ワイヤが選択的に巻き取られるリール部、
前記ラチェットギアに形合されて一方向の回転が拘束され、中央部に沿って上下方向に貫通した昇降支持ホールが形成され、下降時に前記リール部の上部に結合されて一体として回転するように外力によって昇降される回転拘束部、および
前記ハウジング部の下部に結合される軸胴体部と、前記軸胴体部の上端から複数のスリットによって分割されるように上向き延長されて前記昇降支持ホールを貫通するように配置される弾性片と、前記弾性片の弾発締めおよび復元で前記昇降支持ホールが弾発支持されるように前記弾性片の外面に前記昇降支持ホールの内径を超過するように突出形成された加圧勾配突起部とを含む昇降サポート軸部を含むワイヤ締め装置。
【請求項７】
前記回転拘束部の上部には、回転方向および上下方向に一体として作動するようにカバー部が結合され、
前記カバー部の側壁部の下端内周には、前記ハウジング部の外周に突設されたフック翼部にフック結合される係止突起が突設され、前記側壁部は、前記係止突起および前記フック翼部が前記回転拘束部の昇降間隔に対応する遊隔間隔を有するように上下方向に拡張されることを特徴とする請求項６に記載のワイヤ締め装置。
【請求項８】
前記回転拘束部は、
中央部に前記昇降支持ホールが形成されたリング胴体部から半径方向外側に延長された弾性翼部の端部に沿って前記ラチェットギアに選択的に形合されて一方向の回転が拘束されるラチェット結合部が備えられる内部拘束部と、
中央部に前記リング胴体部が安着され、前記昇降支持ホールと連通する対応ホールが形成される安着溝部が形成され、前記安着溝部の外郭に沿って前記弾性翼部が挿入されるように放射状でラウンド状になるように延長され、前記ラチェット結合部に対応する下面部が貫通されたギア連通溝が形成される外部拘束部とを含むことを特徴とする請求項６に記載のワイヤ締め装置。
【請求項９】
前記リール部の上部および前記外部拘束部の下部には、相互選択的に形合されて結合されるギア結合部およびギア形合部が形成され、
前記ラチェット結合部には、前記ラチェットギアと接する部分の接線方向に沿って側面部が開口するように下面部が上側に陥没されて形成された弾発支持溝部が備えられ、
前記ギア連通溝の一側には、前記ラチェット結合部が半径方向外側に弾発支持されるように前記外部拘束部の内周から延長されて前記弾発支持溝部の内側に挿入される補助弾性片が備えられることを特徴とする請求項８に記載のワイヤ締め装置。
【請求項１０】
前記ハウジング部の底面には、前記軸胴体部の下部が貫通される結合孔が形成され、前記軸胴体部の下部は、スリットによって分割された円筒形で備えられ、前記結合孔にフック結合されるように分割された下端部外周に沿って半径方向外側にフック突起が突設され、
前記昇降支持ホールの下端部内周には、半径方向内側に突設された固定突起部が備えられ、前記加圧勾配突起部の外面には、前記固定突起部が弾発係止されるように半径方向内側に陥没された固定溝部が備えられることを特徴とする請求項６に記載のワイヤ締め装置。
【発明の詳細な説明】
【技術分野】
【０００１】
本発明はワイヤ締め装置に関し、さらに詳しくは組立性および耐久性を向上するワイヤ締め装置に関する。
【背景技術】
【０００２】
一般に運動靴などの履き物は、ジグザグ形式の靴紐を引いて締めることにより、ユーザーの足に密着するように着用することができる。この際、靴紐を締めると快適な歩行が可能で、靴紐を緩くした状態では十分な休憩が可能である。
【０００３】
しかし、靴紐を解いて締めることが容易ではなく、運動中に靴紐が解けるようになると、記録の低下、安全事故の発生などの結果をもたらすため、靴紐が解かれることは絶対に防止されなければならない。すなわち、最も好ましくは、靴紐を簡単に締めることが可能で、締められている状態を安定的に持続するとともに、必要な時に簡単に靴紐を緩く解くことが可能でなければならない。そこで、互いに相反する靴紐の締めと解きを円滑化するための装置が多数開発されている。
【０００４】
図１は従来の靴紐締め装置が装着された履き物の斜視図であり、図２は従来の靴紐締め装置の分解斜視図である。
【０００５】
図１および図２に示すように、従来の靴紐締め装置１０は、履き物のベロＴに備えられ、カバー部５１の回転時に中間部材５３と巻取部材５５が結合されてともに回転する。この際、上記巻取部材５５に靴紐Ｌが巻き取られ、上記中間部材の形合拘束部５３ｚがハウジング５７の一方向のラチェットギア５７ｃに拘束され、逆方向を防止することができる。
【０００６】
以後、上記カバー部５１を上側に引くと、回転軸６１の係止突部６２が弾性手段５９を弾発的に加圧して広げながら上側に移動し、中間部材５３が上昇される。これにより、上記中間部材５３と巻取部材５５との間の結合状態が解除され、上記巻取部材５５の自由回転によって靴紐Ｌを引いて解くことができる。
【０００７】
このために、「Ｕ」字形で形成された薄い金属材の弾性手段５９が別に製造され、上記弾性手段５９が複雑な組み立て過程を経て、上記靴紐締め装置１０に組み立てられるという問題点があった。
【０００８】
また、従来の靴紐締め機１０は、靴紐が解かれるように上記カバー部５１を上側に引く時、上記弾性手段５９が元の位置から離脱して故障が発生するという問題点があった。これを解決するために、上記弾性手段５９が結合されるハウジング５７の下部構造を複雑に変形する場合には、構造の複雑性および部品数の増加により、製品の生産性が低下するという問題点があった。
【０００９】
さらに、上記カバー部５１と回転軸６１がボルト部材によって相互締結されるため、ボルト部材が完全に締結されていない場合に誤動作が発生した。この際、上記カバー部５１が強制的に操作されると、樹脂射出物である回転軸６１が金属材質のボルト部材によって簡単に破損されるという問題点があった。
【発明の概要】
【発明が解決しようとする課題】
【００１０】
上記した問題点を解決するために、本発明は、組立性および耐久性を向上するワイヤ締め装置を提供することを解決課題とする。
【課題を解決するための手段】
【００１１】
上記した課題を解決するために、本発明は、上面部に収容溝が形成された底部、上記収容溝に回転可能に挿入され、回転時にワイヤが選択的に巻き取られるリール部、下端部が上記収容溝に固定される固定隔壁部と、上記リール部をカバーするように上記固定隔壁部の内周に沿って半径方向内側に延長され、中央部に中空型支持管部が形成された延長部と、上記延長部の上部に配置され、端部にラチェット結合部が形成された弾性翼部とを含むハウジング部、内周に上記ラチェット結合部に一方向の回転が拘束されるラチェット型ギアが突設され、外力によって昇降される昇降ギア部、および上記昇降ギア部の上部に結合されて一体として昇降および回転され、下面部に上記支持管部に沿って案内されて下降時に上記リール部の上面部に結合される昇降突起部が突設されたカバー部を含むワイヤ締め装置を提供する。
【００１２】
また、本発明は、内周に円周方向に沿って一方向ラチェットギアが形成されたハウジング部、上記ハウジング部の内側に回転可能に挿入され、ワイヤが選択的に巻き取られるリール部、上記ラチェットギアに形合されて一方向の回転が拘束され、中央部に沿って上下方向に貫通された昇降支持ホールが形成され、下降時に上記リール部の上部に結合されて一体として回転するように外力によって昇降される回転拘束部、および上記ハウジング部の下部に結合される軸胴体部と、上記軸胴体部の上端から複数のスリットによって分割されるように上向き延長され、上記昇降支持ホールを貫通するように配置される弾性片と、上記弾性片の弾発締めおよび復元で上記昇降支持ホールが弾発支持されるように、上記弾性片の外面に上記昇降支持ホールの内径を超過するように突出形成された加圧勾配突起部とを含む昇降サポート軸部を含むワイヤ締め装置を提供する。
【発明の効果】
【００１３】
上記した解決手段により、本発明のワイヤ締め装置は次のような効果を提供する。
【００１４】
第一に、上記弾性片に突設されたスライド突起部が仮固定突部に弾発的に係止され、ワイヤの締めおよび解きのための昇降ギア部の下降および上昇状態が安定的に維持できるため、製品の安全性および使用の便宜性を向上することができる。
【００１５】
第二に、上記昇降ギア部に弾性片およびスライド突起部が一体として備えられ、弾性部材のような別の追加部品がなくても昇降ギア部の上昇および下降状態が維持できるため、構成部品数が減少され、製品の生産性および組立性を改善することができる。
【００１６】
第三に、上記底部、ハウジング部、昇降ギア部、カバー部などの一切の構成部品が、隣接する２つの部品を上下方向に加圧する単純なフック結合過程の繰り返しを通じて組み立てられるため、製品の生産性を向上することができる。さらに、構成部品間の組み立てのための別の金属材固定手段が不必要になるため、外力による操作時に金属材固定手段によって発生され得る樹脂材部品の破損が根本的に予防されるため、製品の耐久性を向上することができる。
【００１７】
第四に、上記昇降ギア部の外面がカバー部によって支持されるため、第１フック突起を介したハウジング部および昇降ギア部のフック結合が安定的に維持されるが、第１フック突起間の空間を利用してカバー部がフック結合されるため、より一層コンパクトな製品の設計が可能である。
【００１８】
第五に、上記昇降サポート軸部に回転拘束部の昇降状態維持のための弾性片および加圧勾配突起が一体として射出成形されるため、構成部品数の減少により、製品の生産性および組立性を改善することができる。
【００１９】
第六に、上記昇降サポート軸部は、分割された円筒形の下端部に備えられたフック突起を介して別の金属材固定手段なしにハウジング部にフック結合できるため、昇降操作時に金属材固定手段の加圧による樹脂射出物の破損を防止することができる。
【００２０】
第七に、上記係止突起および上記フック翼部を介してカバー部およびハウジング部がワンタッチ式フック結合で簡単に結合され、上記カバー部が正確な範囲で昇降されるため、過度な昇降による部品の分離および破損を防止することができる。
【図面の簡単な説明】
【００２１】
【図１】従来の靴紐締め装置が装着された履き物の斜視図である。
【図２】従来の靴紐締め装置の分解斜視図である。
【図３ａ】本発明の一実施例に係るワイヤ締め装置の分解斜視図である。
【図３ｂ】本発明の一実施例に係るワイヤ締め装置の分解斜視図である。
【図４ａ】本発明の一実施例に係るワイヤ締め装置の断面図である。
【図４ｂ】本発明の一実施例に係るワイヤ締め装置の断面図である。
【図５】本発明の一実施例に係るワイヤ締め装置におけるハウジング部の変形例を示す平面図である。
【図６】本発明の他の実施例に係るワイヤ締め装置の分解斜視図である。
【図７】本発明の他の実施例に係るワイヤ締め装置の分解側面図である。
【図８】本発明の他の実施例に係るワイヤ締め装置でカバー部が除去された様子を示す部分斜視図である。
【図９ａ】本発明の他の実施例に係るワイヤ締め装置を示す断面図である。
【図９ｂ】本発明の他の実施例に係るワイヤ締め装置を示す断面図である。
【発明を実施するための最良の形態】
【００２２】
本発明の最良の実施形態は、添付した図面を参照にして、以下でより詳しく説明する。
【発明を実施するための形態】
【００２３】
以下、添付した図面を参照にして、本発明の好ましい実施例に係るワイヤ締め装置を詳しく説明する。
【００２４】
図３ａおよび図３ｂは本発明の一実施例に係るワイヤ締め装置の分解斜視図で、図４ａおよび図４ｂは本発明の一実施例に係るワイヤ締め装置の断面図である。
【００２５】
図３ａ〜図４ｂに示すように、上記ワイヤ締め装置１００は、底部１１０、リール部１２０、ハウジング部１３０、昇降ギア部１４０およびカバー部１５０を含む。ここにおいて、上記底部１１０は、一定以上の強度を有しながらも弾性のある素材である強化プラスチックなどの樹脂材質で備えられることが好ましい。
【００２６】
詳細に、上記底部１１０は、履き物のベロなどに密着支持されるように下面部がラウンド形状で備えられたベロ支持部１１２と、上記ベロ支持部１１２の中央部に突設された収容隔壁部１１５とを含む。また、上記収容隔壁部１１５の内部に収容溝１１３が形成されており、上記収容隔壁部１１５の一側には上記収容溝１１３と連通するように貫通形成された一対のワイヤ貫通孔１１１を備えることが好ましい。
【００２７】
一方、図３ａ〜図４ａを参照すると、上記リール部１２０は、強化プラスチックなどの樹脂材質で備えられることが好ましく、上記収容溝１１３の内径未満の外径を有するように備えられて上記収容溝１１３に挿入され得る。
【００２８】
この際、上記リール部１２０の下面中央部に形成された突起収容溝１２４に、上記収容溝１１３の底面中央部に突設された回転支持突起１１３ａが挿入されることにより、リール部１２０が回転支持突起１１３ａを回転軸として正確に回転することができる。また、上記リール部１２０の縁面には、半径方向内側に陥没されたリング状ワイヤ巻取溝１２１が形成され、上記ワイヤ巻取溝１２１にはワイヤ固定ホール１２２が備えられる。
【００２９】
詳細に、ワイヤは、上記ワイヤ固定ホール１２２に据置された状態で両端部が収容隔壁部１１５のワイヤ貫通孔１１１を介して引き出されて履き物などの締め対象物に連結される。この際、上記リール部１２０が他方向（Ｒ、図３ａの時計方向）に回転すると、上記ワイヤが上記ワイヤ巻取溝１２１に沿って巻き取られることができ、上記リール部１２０が一方向に回転すると、上記巻き取られたワイヤがワイヤ巻取溝１２１から繰り出されることができる。
【００３０】
もちろん、上記ワイヤが巻き取られて繰り出される方向は、以下説明する各構成部品の形状を反転することにより簡単に設計変更することができる。この際、上記底部１１０の収容溝１１３に上記リール部１２０が挿入され、ワイヤが上記リール部１２０に固定されると、上記収容溝１１３の上部にハウジング部１３０が結合される。
【００３１】
一方、上記ハウジング部１３０は、固定隔壁部１３０ａと延長部１３０ｂとを含み、強化プラスチックなどの樹脂材質で備えることができる。ここにおいて、上記固定隔壁部１３０ａは、上記底部１１０の収容隔壁部１１５の内径未満の外径を有し、上記リール部１２０の外径に対応する内径を有する円筒形状で備えられる。
【００３２】
また、上記固定隔壁部１３０ａの下端部には、上記リール部１２０および上記収容隔壁部１１５の間の空間に挿入されるように下側に延長され、外面部に固定突起１３１ａが突設された複数のフック翼部１３１が備えられる。
【００３３】
この際、上記収容隔壁部１１５の内面には、半径方向内側に固定段突部１１４が突設され、上記固定突起１３１ａおよび上記固定段突部１１４は、上記フック翼部１３１の外面および上記収容溝１１３の内面との間の間隔に対応するように突設され得る。
【００３４】
これにより、上記フック翼部１３１が上記収容溝１１３の内部に挿入され、固定突起１３１ａが固定段突部１１４の下端に係止され、上記固定隔壁部１３０ａが上記収容溝１１３にフック結合され得る。
【００３５】
また、上記固定段突部１１４の下部両側には、上記固定突起１３１ａの横方向の幅に対応する支持段突部１１４ａ、１１４ｂが形成され、上記固定段突部１１４の下部に係止された固定突起１３１ａが固定される。これにより、上記ハウジング部１３０が遊動されないように上記底部１１０に結合され得る。
【００３６】
また、上記固定隔壁部１３０ａの内周には、上記リール部１２０をカバーするように半径方向内側に延長された延長部１３０ｂが備えられる。ここにおいて、上記延長部１３０ｂは、上記底部１１０に固定された固定隔壁部１３０ａで上記リール部１２０の上端部に対応する部分に突設されることが好ましい。これにより、上記リール部１２０の上面部が上記延長部１３０ｂの下端部に支持され、上記リール部１２０の上下遊動が最小化できる。
【００３７】
また、上記延長部１３０ｂの端部には、中空型支持管部１３５が備えられ、上記中空型支持管部１３５は、下端部が上記延長部１３０ｂに連結され、上端部が上記固定隔壁部１３０ａの上端部に対応する高さに配置されるように備えられる。
【００３８】
また、上記延長部１３０ｂの上部には、弾性翼部１３３が備えられ、上記弾性翼部１３３は、放射状に備えられた各延長部１３０ｂに沿って複数備えられることが好ましい。この際、上記各弾性翼部１３３は、上記各延長部１３０ｂの上面に連結された一端部から他方向Ｒに延長された円弧形に備えられ、上記固定隔壁部１３０ａの内周面と対向する他端部の外面にラチェット結合部１３３ａが備えられる。
【００３９】
ここにおいて、上記ラチェット結合部１３３ａは、他方向Ｒ側の端部が垂直面で備えられ、反時計方向側の端部が傾斜するように備えられた複数のギア歯で備えられることができる。
【００４０】
一方、図３ａ〜図３ｂを参照すると、上記昇降ギア部１４０は、側壁部１４１、１４４と弾性片１４２とを含み、強化プラスチックなどの樹脂材質で備えられることができる。この際、上記昇降ギア部１４０は、上記ハウジング部１３０の上部に結合される。
【００４１】
詳細に、上記側壁部は、中央部が開口された円板形の胴体部の下面の外郭部に沿って下向き突設された第１側壁部１４１と、上記第１側壁部１４１と所定の間隔を形成するように突設された第２側壁部１４４とを含む。また、上記弾性片１４２は、上記胴体部の開口内周に複数に分割され、下側にラウンド状になるように延長されて備えられる。
【００４２】
この際、上記第１側壁部１４１および上記第２側壁部１４４の間の空間に沿って上記固定隔壁部１３０ａの上端部が挿入されることができ、上記第２側壁部１４４は、上記固定隔壁部１３０ａの内周および上記弾性翼部１３３の間に挿入されることができる。
【００４３】
ここにおいて、上記第２側壁部１４４の内周には、上記ラチェット結合部１３３ａに一方向の回転が拘束されるラチェット型ギア１４４ａが円周方向に沿って備えられる。この際、上記ラチェット型ギア１４４ａは、上記ラチェット結合部１３３ａと形合される複数のギア歯で備えられる。
【００４４】
すなわち、上記ラチェット結合部１３３ａが弾性翼部１３３によって半径方向外側に弾発支持された状態で、上記ラチェット結合部１３３ａおよび上記ラチェット型ギア１４４ａの垂直端面が噛み合わされることにより、上記昇降ギア部１４０の一方向の回転が制限される。
【００４５】
この際、上記弾性翼部１３３の半径方向内側に弾発変形され、上記ラチェット型ギア１４４ａが上記ラチェット結合部１３３ａの傾斜面に沿ってスライドされることにより、上記昇降ギア部１４０が他方向Ｒに回転することができる。また、上記昇降ギア部１４０の上部には、カバー部１５０が結合され、上記昇降ギア部１４０は、上記カバー部１５０によって伝達された外力により昇降および回転することができる。
【００４６】
また、上記昇降ギア部１４０の第１側壁部１４１の内面には、上記固定隔壁部１３０ａの外面に突設された係止突部１３２にフック結合される第１フック突起１４１ａが突設される。詳細に、上記係止突部１３２は、第１側壁部１４１および第２側壁部１４４の間の空間に挿入される固定隔壁部１３０ａの外周上端部に突設される。ここにおいて、上記係止突部１３２および上記第１フック突起１４１ａは、上記第１側壁部１４１の内面および上記固定隔壁部１３０ａの外面の間の間隔に対応するように突設されることが好ましい。
【００４７】
また、上記係止突部１３２は、上端部が半径方向外側に行くほど下向き傾斜するように備えられ、下端部が平坦に備えられており、上記第１フック突起１４１ａは、下端部が半径方向内側に行くほど上向き傾斜するように備えられ、上端部が平坦に備えられる。
【００４８】
ここにおいて、上記固定隔壁部１３０ａが上記第１側壁部１４１および上記第２側壁部１４４の間の空間に挿入されると、上記第１フック突起１４１ａが上記係止突部１３２に係止され、上記昇降ギア部１４０および上記ハウジング部１３０がフック結合され得る。
【００４９】
この際、上記第１フック突起１４１ａは、上記第１側壁部１４１の内周に円周方向に同一高さ範囲に沿って複数備えられ、上記第１側壁部１４１および上記固定隔壁部１３０ａがフック結合された状態で他方向に回転することができる。
【００５０】
一方、上記カバー部１５０は、強化プラスチックなどの樹脂材質で備えられることが好ましく、上記昇降ギア部１４０の上部に結合される。この際、上記カバー部１５０の内部には、上記昇降ギア部１４０の体積に対応する空間部が形成され、上記カバー部１５０が上記昇降ギア部１４０の第１側壁部１４１および上面部を取り囲むように結合され得る。
【００５１】
また、上記カバー部１５０の下面中央部には、昇降突起部１５２が突設され、上記昇降突起部１５２は、上記弾性片１４２の半径方向内側の開口を介して、上記ハウジング部１３０の支持管部１３５内に挿入され得る。
【００５２】
この際、上記カバー部１５０の側壁部１５１には、内周下端に沿って第２フック突起１５１ａが突設され、上記第１側壁部１４１は、上記第１フック突起１４１ａの間の空間に対応する部分が上側に開口され、カバー係止溝１４１ｂが形成されることが好ましい。
【００５３】
ここにおいて、上記第２フック突起１５１ａは、下端部が半径方向内側に行くほど上向き傾斜するように備えられ、上端部が平坦に備えられることが好ましい。また、上記第２フック突起１５１ａが上記カバー係止溝１４１ｂに挿入および係止され、上記カバー部１５０および上記昇降ギア部１４０がフック結合され得る。
【００５４】
また、上記カバー係止溝１４１ｂの上端から上記第１側壁部１４１の上端までの間隔は、上記第２フック突起１５１ａの上端から上記カバー部１５０の側壁部１５１の上端までの間隔に対応するように備えられることが好ましい。これにより、上記昇降ギア部１４０および上記カバー部１５０のフック結合時に、上記カバー部１５０の下面部および上記昇降ギア部１４０の上面部が相互密着されて一体として昇降することができる。
【００５５】
この際、上記カバー部１５０の下面部には、上記昇降突起部１５２の外郭部に複数のギア歯で備えられたギア組立部１５３が備えられ、上記昇降ギア部１４０の上面部には、上記ギア組立部１５３に形合される組立形合部１４３が備えられることが好ましい。
【００５６】
これにより、上記ギア組立部１５３および組立形合部１４３のギア結合により、上記昇降ギア部１４０および上記カバー部１５０の密着時に一体として回転することができる。
【００５７】
このように、上記底部１１０、ハウジング部１３０、昇降ギア部１４０、カバー部１５０などの構成部品が、隣接する２つの部品を上下方向に加圧する単純なフック結合過程の繰り返しを通じて組み立てられるため、製品の生産性を向上することができる。
【００５８】
さらに、別の固定手段が不必要になることにより、外力による操作時に固定手段として用いられた金属材部品による樹脂材部品の破損が根本的に予防され、製品の耐久性を向上することができる。また、上記昇降突起部１５２は、上記支持管部１３５の中空内径に対応する外径を有するように備えられ、上記支持管部１３５の内周に沿って案内されて昇降され得る。この際、上記昇降突起部１５２の下面部には、ギア形合部１５２ａが備えられ、上記リール部１２０の上面部には、上記ギア形合部１５２ａと形合される形状のギア結合部１２３が備えられる。
【００５９】
また、上記昇降突起部１５２は、上記昇降ギア部１４０および上記カバー部１５０が上記ハウジング部１３０に密着した下降状態で、上記リール部１２０の上面部に密着する長さで備えられることが好ましい。これにより、上記昇降ギア部１４０および上記カバー部１５０の下降時に上記ギア形合部１５２ａと上記ギア結合部１２３が密着し、上記リール部１２０とカバー部１５０が一体として回転することができる。
【００６０】
すなわち、図４ａを参照すると、下降された上記カバー部１５０が他方向Ｒ回転すると、上記カバー部１５０、上記昇降ギア部１４０、上記リール部１２０が一体として他方向Ｒ回転してリール部１２０にワイヤが巻き取られることができる。この際、上記カバー部１５０は、昇降ギア部１４０によって一方向の回転が拘束された状態であるため、リール部１２０の一方向の回転が制限されており、外力解除時にも巻き取られたワイヤが繰り出されることがない。
【００６１】
一方、図４ａ〜図４ｂを参照すると、上記第１フック突起１４１ａの上端および上記係止突部１３２の下端の間は、フック結合時に上記昇降ギア部１４０の昇降間隔に対応して相互遊隔されるように備えられることが好ましい。
【００６２】
ここにおいて、上記昇降間隔は、ギア形合部１５２ａがギア結合部１２３に密着する昇降ギア部１４０の位置からギア形合部１５２ａおよびギア結合部１２３が分離される昇降ギア部１４０の位置の間の間隔を意味すると理解することが好ましい。
【００６３】
この際、遊隔という用語は、上記第１フック突起１４１ａが上記係止突部１３２の上部に離脱せずに上記係止突部１３２の下部に位置した状態で上下方向に移動することができる状態を意味する。
【００６４】
このため、上記第１フック突起１４１ａおよび上記係止突部１３２が形成された部分を除いた上記昇降ギア部１４０の第１側壁部１４１および上記ハウジング部１３０の固定隔壁部１３０ａの間の重畳された高さが上記昇降間隔を超過するように備えられることが好ましい。
【００６５】
これにより、上記昇降ギア部１４０が上記底部１１０側に密着すると、上記第１フック突起１４１ａの上端部と上記係止突部１３２の下端部との間に上記昇降間隔に対応する遊隔間隔が形成され得る。
【００６６】
一方、図４ｂを参照すると、上記昇降ギア部１４０および上記カバー部１５０は、上記第１フック突起１４１ａおよび上記係止突部１３２の間の遊隔に対応して昇降することができる。
【００６７】
すなわち、上記第１フック突起１４１ａの上端部が上記係止突部１３２の下端部から離隔された状態で、上記第１フック突起１４１ａの上端部が上記係止突部１３２の下端部に密着する位置まで上記昇降ギア部１４０が上昇され得る。
【００６８】
この際、上記リール部１２０のギア結合部１２３および上記昇降突起部１５２のギア形合部１５２ａが分離され、上記リール部１２０が上記カバー部１５０から独立して自由回転することができる。すなわち、上記リール部１２０が上記カバー部１５０によって一方向の回転が拘束された状態から自由回転ができる状態に変更され、リール部１２０に巻き取られたワイヤが繰り出されることができる。
【００６９】
ここにおいて、上記第１側壁部１４１は、上記固定隔壁部１３０ａにフック結合され、上記カバー部１５０の側壁部１５１は、上記第１側壁部１４１を取り囲んで支持しながら上記昇降ギア部１４０にフック結合されることが好ましい。
【００７０】
これにより、上記カバー部１５０の側壁部１５１が上記第１フック突起１４１ａの突設された第１側壁部１４１を半径方向内側に支持することができ、上記昇降ギア部１４０の昇降時に第１フック突起１４１ａが係止突部１３２に安定的に係止され得る。
【００７１】
また、上記カバー部１５０の側壁部１５１は、上記第１フック突起１４１ａの側部に備えられたカバー係止溝１４１ｂにフック結合されることが好ましい。これにより、カバー部１５０の側壁部１５１の高さを短縮して設計することができる。
【００７２】
一方、上記弾性片１４２は、上記支持管部１３５の外周に対向するように上記昇降ギア部１４０の中央部に備えられ、複数備えられてそれぞれの内面部が上記支持管部１３５の外周を取り囲むように備えられることが好ましい。
【００７３】
この際、上記弾性片１４２は、弾性力を有するようにラウンド状の連結部を介して上記昇降ギア部１４０の中央開口に連結され、内面部が上記支持管部１３５の外周に対向するように配置され、半径方向外側および内側に弾発変形され得る。
【００７４】
ここにおいて、上記各弾性片１４２の内面部下端には、半径方向内側にスライド突起部１４２ａが突設される。この際、上記スライド突起部１４２ａの上部は、半径方向内側に行くほど下向き傾斜するように備えられ、下部は、半径方向内側に行くほど上向き傾斜するように備えられる。すなわち、上記スライド突起部１４２ａは、半径方向内側に行くほど上下方向の厚さが狭小化するように備えられ、上部および下部が連結される半径方向内側の端部がラウンド状に備えられる。
【００７５】
また、上記支持管部１３５の外周には、上記昇降ギア部１４０の昇降時に上記スライド突起部１４２ａが弾発的に係止されるように仮固定突部１３４が突設される。
【００７６】
すなわち、上記スライド突起部１４２ａは、上記弾性片１４２が半径方向外側に弾発変形され、上記仮固定突部１３４の上部から下部または下部から上部にスライド移動される。また、上記スライド突起部１４２ａは、上記弾性片１４２が半径方向内側に弾発復元されることにより、上記仮固定突部１３４の上部に安着されるか、または上記仮固定突部１３４の下部に係止され得る。
【００７７】
ここにおいて、上記仮固定突部１３４は、上部が半径方向外側に行くほど下向き傾斜するように備えられ、下部が半径方向外側に行くほど上向き傾斜するように備えられており、半径方向外側に行くほど上下方向の幅が狭小化するように備えられることができる。この際、上記仮固定突部１３４および上記スライド突起部１４２ａは、上記支持管部１３５の外周および上記弾性片１４２の内面部の間の間隔に対応するように突設されることが好ましい。
【００７８】
ここにおいて、上記弾性片１４２および上記支持管部１３５は、上記昇降ギア部１４０の昇降間隔に対応する重畳された高さを有するように備えられることが好ましい。
【００７９】
詳細に、上記昇降ギア部１４０が下降された状態で、上記スライド突起部１４２ａは、上記仮固定突部１３４の下部に係止される。この際、上記スライド突起部１４２ａは、上記弾性片１４２の弾性力によって半径方向内側に弾発支持され、上記仮固定突部１３４の下部に係止された状態を維持することができる。
【００８０】
これにより、上記昇降ギア部１４０が下降され、リール部１２０、カバー部１５０および昇降ギア部１４０が一体として回転する状態が安定的に維持され得る。すなわち、ユーザーによる直接の操作ではなく運動などによる振動ないし衝撃によって昇降ギア部１４０が上昇されるなどの誤作動が防止されるため、運動中に突然なワイヤの解きなどによる安全事故が予防され、製品の安全性を向上することができる。
【００８１】
この際、上記昇降ギア部１４０およびカバー部１５０が外力によって上昇されると、上記スライド突起部１４２ａの上部傾斜面が上記仮固定突部１３４の下部傾斜面に沿ってスライドされ、上記スライド突起部１４２ａが上記仮固定突部１３４を通過する。また、上記弾性片１４２の弾性復元力によって上記スライド突起部１４２ａが半径方向内側に支持され、上記仮固定突部１３４の上部に安着され得る。
【００８２】
これにより、別の操作がなくてもワイヤを引いて解くことのできる上記昇降ギア部１４０の上昇状態が維持できるため、製品の使用の便宜性を向上することができる。
【００８３】
また、上記昇降ギア部１４０およびカバー部１５０が下方加圧されると、上記昇降突起部１５２および上記リール部１２０が結合された状態に簡単に転換することができる。
【００８４】
このように、上記弾性片１４２および上記スライド突起部１４２ａが昇降ギア部１４０に一体として備えられるため、上記昇降ギア部１４０の昇降状態の維持のための構成部品（図２の５９参照）数が減少され、製品の生産性および組立性を改善することができる。
【００８５】
一方、図５は、本発明の一実施例に係るワイヤ締め装置におけるハウジング部の変形例を示す平面図である。本変形例では、上記弾性翼部２３３に間隔維持部２３３ｂが備えられることを除いた基本的な構成は一実施例と同様であるため、同じ構成に対する具体的な説明は省略する。
【００８６】
図５に示すように、上記弾性翼部２３３の内面には、上記支持管部２３５の外周に向かって半径方向内側に突設された複数の間隔維持部２３３ｂが備えられることが好ましい。この際、上記間隔維持部２３３ｂは、上記各弾性翼部２３３から各延長部２３０ｂの間の空間の上部に対向配置された部分の内面に突設され、それぞれが円周方向に沿って相互離隔配置されるように備えられることが好ましい。
【００８７】
また、各間隔維持部２３３ｂは、端部から上記支持管部２３５の外周までの離隔間隔が延長部２３０ｂに隣接するほど減少され、ラチェット結合部２３３ａに隣接するほど増加される大きさで突設される。これにより、上記間隔維持部２３３ｂが上記支持管部２３５の外周に接して上記弾性翼部２３３の過度な変形を予防することができ、上記弾性翼部２３３の過度な変形による弾性力の低下を防止することができる。
【００８８】
一方、図６は本発明の他の実施例に係るワイヤ締め装置の分解斜視図で、図７は本発明の他の実施例に係るワイヤ締め装置の分解側面図で、図８は本発明の他の実施例に係るワイヤ締め装置でカバー部が除去された様子を示す部分斜視図で、図９ａおよび図９ｂは本発明の他の実施例に係るワイヤ締め装置を示す断面図である。
【００８９】
本他の実施例では、ハウジング部の底部の一体構造、昇降サポート軸部および回転拘束部によるリール部の締めおよび解き状態の転換を除いた基本的な構成は上述した一実施例と同様であるため、同じ構成に対する具体的な説明は省略する。
【００９０】
図６〜図９ｂに示すように、上記ワイヤ締め装置３００は、ハウジング部３１０、リール部３２０、回転拘束部３３０および昇降サポート軸部３６０を含む。
【００９１】
ここにおいて、上記ハウジング部３１０には、ベロ支持部３１２が一体として備えられ、上記ハウジング部３１０の側壁部の内部に上記リール部３２０が収容され、ハウジング部３１０の側壁部の一側にワイヤＬが貫通するワイヤ貫通孔３１３が形成される。
【００９２】
また、上記リール部３２０には、ワイヤＬの巻取および固定のためワイヤ巻取溝３２１およびワイヤ固定ホール３２２が備えられる。
【００９３】
また、上記ハウジング部３１０の側壁部の上部内周にラチェットギア３１１が形成されており、上記回転拘束部３３０は、上記リール部３２０の上部に配置され、ラチェットギア３１１に一方向の回転が拘束される。
【００９４】
この際、上記回転拘束部３３０は、外力によって昇降されるが、下降時に上記リール部３２０と結合されて一体回転され、ワイヤＬが巻き取られるようにリール部３２０に他方向（Ｒ、図６の時計方向）の回転力を伝達することができる。これとともに、上記下降された回転拘束部３３０が上記ラチェットギア３１１に一方向の回転が拘束されることにより、巻き取られたワイヤＬが繰り出されないようにリール部３２０の一方向の回転が制限され得る。
【００９５】
また、上記回転拘束部３３０が外力によって上昇されると、上記リール部３２０と上記回転拘束部３３０が分離され、巻き取られたワイヤＬが繰り出されるように上記リール部３２０が自由回転することができる。
【００９６】
ここにおいて、上記回転拘束部３３０は、１つの部材で備えられるものも可能であり、本実施例では、製造の便宜性および弾性支持力の向上のために、内部拘束部３５０および外部拘束部３４０を含む２つの部材で備えられるものを例として説明する。
【００９７】
詳細に、図６〜図７を参照すると、上記内部拘束部３５０は、リング胴体部３５０ａ、弾性翼部３５０ｂおよびラチェット結合部３５０ｃを含む。
【００９８】
ここにおいて、上記リング胴体部３５０ａは、中央部に昇降支持ホール３５１が形成され、上記弾性翼部３５０ｂは、上記リング胴体部３５０ａの外周から半径方向外側に突設され、一方向にラウンド状になるように延長される。
【００９９】
また、上記ラチェット結合部３５０ｃは、上記弾性翼部３５０ｂの端部に備えられるが、上記ラチェットギア３１１と接触する端部がラチェットギア３１１と形合される形状で備えられ、弾性翼部３５０ｂによって半径方向外側に弾発支持される。
【０１００】
これにより、上記ラチェット結合部３５０ｃおよびラチェットギア３１１の垂直端面が噛み合わされて内部拘束部３５０の一方向の回転が制限され、上記ラチェット結合部３５０ｃおよびラチェットギア３１１の傾斜面が相互スライドされて内部拘束部３５０が他方向に回転することができる。
【０１０１】
また、上記ラチェット結合部３５０ｃの端部の下側には、上記ラチェットギア３１１と連続した形合面を成すように延長突起部３５３が突設される。また、上記ラチェット結合部３５０ｃで弾性翼部３５０ｂと連結される部分の側面部には、円形端面を有するように半径方向内側および外側にラウンド状に突出された回転結合面部３５４が備えられる。
【０１０２】
一方、図７〜図８を参照すると、上記外部拘束部３４０は、上記ハウジング部３１０の上端縁に安着され、中央部に上記リング胴体部３５０ａが安着される安着溝部３４１が形成される。また、上記安着溝部３４１の中央部に上記昇降支持ホール３５１と連通する対応ホール３４２が形成される。
【０１０３】
ここにおいて、上記内部拘束部３５０は、上記リング胴体部３５０ａが上記安着溝部３４１に挿入安着され、上記外部拘束部３４０と一体として上昇され得る。
【０１０４】
また、上記安着溝部３４１の外郭には、上記弾性翼部３５０ｂが挿入されるように放射状かつラウンド状に延長されて上記ラチェット結合部３５０ｃに対応する下面部３４３ａに貫通したギア連通溝３４３が形成される。
【０１０５】
この際、上記延長突起部３５３が上記ギア連通溝３４３の貫通された下面部３４３ａを通過して上記ラチェットギア３１１に噛み合うようになる。
【０１０６】
また、上記ギア連通溝３４３で上記弾性翼部３５０ｂが挿入される部分と上記延長突起部３５３が挿入される部分とは、所定の余裕空間を有するように備えられ、上記ラチェット結合部３５０ｃが半径方向内側および外側に弾発移動することができる。
【０１０７】
この際、上記ギア連通溝３４３で上記弾性翼部３５０ｂが挿入される部分および上記延長突起部３５３が挿入される部分との間を連結する部分３４３ｂは、上記回転結合面部３５４に形合される円形端面で備えられる。これにより、上記外部拘束部３４０および内部拘束部３５０が一体として回転可能でありながら、上記ラチェット結合部３５０ｃが上記回転結合面部３５４を中心として半径方向内側および外側に回転流動可能である。
【０１０８】
また、上記ラチェット結合部３５０ｃの下面部には、上側に陥没された弾発支持溝部３５２が形成される。詳細に、上記弾発支持溝部３５２は、上記ラチェットギア３１１と接する部分の接線方向に沿って上記ラチェット結合部３５０ｃの半径方向内側の側面部に向かって開口されるように形成される。
【０１０９】
この際、上記ギア連通溝３４３の一側には、上記ラチェット結合部３５０ｃが半径方向外側に弾発支持されるように上記外部拘束部３４０の内周から延長されて上記弾発支持溝部３５２の内側に挿入される補助弾性片３４５が備えられることが好ましい。これにより、上記弾性翼部３５０ｂの弾性の低下時にも補助弾性片３４５の弾性力によってラチェット結合部３５０ｃがラチェットギア３１１に安定的に噛み合うことができる。
【０１１０】
一方、上記外部拘束部３４０の上部には、回転方向および上下方向に一体として作動するようにカバー部３７０が結合されることが好ましい。ここにおいて、上記カバー部３７０は、側壁部３７０ａの内部に上記外部拘束部３４０が挿入されるように下部が開口された容器形状で備えられる。詳細に、上記カバー部３７０は、上面部３７０ｂに下向き突設された構造突起（図示せず）を介して上記外部拘束部３４０の外郭部の上面にフックないしは接着剤結合方式で結合され得る。
【０１１１】
また、上記カバー部３７０の上面部３７０ｂに上記内部拘束部３５０の上面部が支持されるように複数の支持部３７２が下向き突設される。これにより、揺れや振動などの衝撃時に上記内部拘束部３５０が外部拘束部３４０から離脱することが防止され、カバー部３７０および内部拘束部３５０、外部拘束部３４０が一体として操作され得る。
【０１１２】
一方、上記リール部３２０の上部および上記外部拘束部３４０の下部には、相互選択的に形合されて結合されるギア結合部３２９およびギア形合部３４９が形成されることが好ましい。詳細に、上記ギア結合部３２９は、上記リール部３２０の上面部に円周方向に沿って複数突設され、一方向の端部が垂直端面で備えられて他方向の端部が傾斜するように備えられたギア突起で備えられることができる。また、上記ギア形合部３４９は、上記外部拘束部３４０の下面部に円周方向に沿って複数突設され、一方向の端部が傾斜するように備えられて他方向の端部が垂直端面で備えられたギア突起で備えられることができる。
【０１１３】
これにより、上記外部拘束部３４０の下降時に上記ギア結合部３２９および上記ギア形合部３４９が結合され、上記リール部３２０および上記外部拘束部３４０が一体として他方向に回転することができる。また、上記外部拘束部３４０が上記各ギア突起の高さ以上に上昇されると、上記ギア結合部３２９および上記ギア形合部３４９が分離され、上記リール部３２０が自由回転できる状態に転換される。
【０１１４】
一方、図７〜図９ａを参照すると、上記カバー部３７０は、側壁部３７０ａが上記外部拘束部３４０の外径に対応する内径を有するように備えられ、上記外部拘束部３４０を取り囲むように結合される。詳細に、上記カバー部３７０の側壁部３７０ａの下端内周には、上記ハウジング部３１０の外周に突設されたフック翼部３１４にフック結合されるように半径方向内側に係止突起３７１が突設されることが好ましい。
【０１１５】
ここにおいて、上記カバー部３７０は、所定の強度を有しながらも弾性的な素材である金属や強化プラスチックなどで備えられ、上記係止突起３７１は、半径方向内側に行くほど上向き傾斜した形状で下部が傾斜して上部が平坦に備えられる。
【０１１６】
また、上記フック翼部３１４は、上記ハウジング部３１０の外周上端に沿って突設され、上記フック翼部３１４の外径は、上記カバー部３７０の側壁部３７０ａの内径に対応するように備えられることができる。この際、上記フック翼部３１４は、上記係止突起３７１の下部傾斜面と対向する上部がラウンド状に備えられて下部が平坦に備えられることが好ましい。これにより、上記係止突起３７１が上記フック翼部３１４およびハウジング部３１０の外面の間の段差に係止され、上記カバー部３７０および外部拘束部３４０がフック結合され得る。
【０１１７】
また、上記カバー部３７０の側壁部３７０ａは、上記係止突起３７１および上記フック翼部３１４が上記回転拘束部３３０の昇降間隔に対応する遊隔間隔を有するように上下方向に拡張されることが好ましい。
【０１１８】
ここにおいて、上記昇降間隔は、ギア形合部３４９がギア結合部３２９に密着する外部拘束部３４０の位置からギア形合部３４９およびギア結合部３２９が分離する外部拘束部３４０の位置の間の間隔を意味すると理解することが好ましい。
【０１１９】
また、上記遊隔間隔は、上記係止突起３７１が上記フック翼部３１４の上部に離脱せずに上記フック翼部３１４の下部に位置した状態で上下方向に移動できる間隔を意味する。この際、上記カバー部３７０の側壁部３７０ａの長さは、上記外部拘束部３４０の厚さおよびフック翼部３１４の厚さを考慮して設定することが好ましい。すなわち、上記カバー部３７０の側壁部３７０ａは、カバー部３７０が下降して係止突起３７１の上面部および上記フック翼部３１４の下面部が最大離隔された状態で、間隔が上記昇降間隔と一致するように上下方向に拡張されることが好ましい。
【０１２０】
これにより、上記係止突起３７１の上面部およびフック翼部３１４の下面部が離隔された状態で上記係止突起３７１の上面部とフック翼部３１４の下面部が接触するように上記カバー部３７０が上昇すると、リール部３２０が自由回転することができる。
【０１２１】
また、上記ハウジング部３１０のフック翼部３１４の一側には、上記係止突起３７１の円周方向の幅に対応する間隔で離隔された一対のスリット溝３１６が形成されることが好ましい。
【０１２２】
すなわち、上記カバー部３７０が半径方向内側に加圧されると、上記スリット溝３１６の間のフック翼部３１４が半径方向内側に弾発変形され、上記係止突起３７１がフック翼部３１４から分離され、部品の交換、修理などのメンテナンスが可能になる。
【０１２３】
一方、上記昇降サポート軸部３６０は、軸胴体部３６０ａ、弾性片３６０ｂおよび加圧勾配突起部３６１を含み、一定以上の強度を有しながらも弾性的な金属ないし強化プラスチックなどの素材で備えられる。ここにおいて、上記軸胴体部３６０ａ、弾性片３６０ｂ、加圧勾配突起部３６１は、一体として射出成形されることが好ましい。
【０１２４】
詳細に、上記昇降サポート軸部３６０は、上記ハウジング部３１０の内部にリール部３２０、外部拘束部３４０、内部拘束部３５０が順次組み立てられた後、上記昇降支持ホール３５１を貫通して上記ハウジング部３１０の結合孔３１５に結合され得る。
【０１２５】
ここにおいて、上記軸胴体部３６０ａの下部は、弾性力を有するようにスリットによって分割された円筒形で備えられ、分割された下端部の外周に沿って半径方向外側に突設されたフック突起３６２が備えられることが好ましい。
【０１２６】
また、上記ハウジング部３１０の底面には、上記軸胴体部３６０ａの下部が貫通する結合孔３１５が形成される。すなわち、上記軸胴体部３６０ａの下部が上記昇降支持ホール３５１、上記対応ホール３４２および上記リール部３２０の軸貫通ホール３２４を通過すると、上記フック突起３６２が上記結合孔３１５にフック結合され得る。
【０１２７】
ここにおいて、上記結合孔３１５は、上記軸胴体部３６０ａの下部外径に対応する内径を有するように備えることが好ましく、内周の一側に段差部３１５ａが形成されるように下部内周が半径方向外側に拡管されて備えられることができる。
【０１２８】
また、上記フック突起３６２は、上記結合孔３１５の狭管化した上部内径を超過する大きさで突設されることが好ましく、半径方向外側に行くほど上向き傾斜した形状で、下面部が傾斜するように備えられて上面部が平坦に備えられることができる。
【０１２９】
この際、上記段差部３１５ａの深さは、上記フック突起３６２の上下方向の高さに対応するように備えられ、上記フック突起３６２が上記段差部３１５ａに係止されることによってハウジング部３１０の背面部の外観が改善され得る。
【０１３０】
これにより、金属材質のボルトのような固定手段がなくても昇降サポート軸部３６０および上記ハウジング部３１０を簡単に組み立てることができる。また、過度に引くなどの誤操作時にも固定手段として用いられた金属部品によって発生可能な樹脂射出物の破損が防止されるため、製品の耐久性を向上することができる。
【０１３１】
このように、あらゆる構成部品の組み立てが各部品に一体で射出成形された突起を介してワンタッチ式でフック結合されるため、製品の組立性を著しく改善することができる。
【０１３２】
一方、上記軸胴体部３６０ａの外径は、上記リール部３２０の軸貫通ホール３２４未満に備えられ、上記弾性片３６０ｂの外径は、上記リール部３２０の軸貫通ホール３２４を超過するように備えられることが好ましい。すなわち、上記弾性片３６０ｂの外面は、上記軸胴体部３６０ａの外面から半径方向外側に突出された形態で、上記弾性片３６０ｂの外面と上記軸胴体部３６０ａの外面との間に段差になった連結部分３６３が形成される。
【０１３３】
この際、上記軸胴体部３６０ａの高さは、上記ハウジング部３１０の底面から上記軸貫通ホール３２４の上端縁までの間隔に対応するように備えられ、上記段差になった連結部分３６３が上記軸貫通ホール３２４の上端縁に安着され得る。
【０１３４】
これにより、上記昇降サポート軸部３６０の上下方向が防止され、上記ハウジング部３１０およびリール部３２０、上記昇降サポート軸部３６０が安定的に結合され得る。
【０１３５】
一方、図９ａおよび図９ｂを参照すると、上記弾性片３６０ｂは、上記軸胴体部３６０ａの上端から複数のスリットによって分割されるように上向き延長されて上記昇降支持ホール３５１を貫通するように配置される。
【０１３６】
この際、上記弾性片３６０ｂは、上記回転拘束部３３０の上昇時に上端部が上記昇降支持ホール３５１の上部で露出する長さで備えられることが好ましい。
【０１３７】
また、上記弾性片３６０ｂは、上記スリットによって分割された円筒形状で備えられ、弾性支持力を有し、外力によって半径方向内側に締められ、外力の解除時に半径方向外側に復元移動することができる。ここにおいて、上記スリットは、垂直方向ないし傾斜した形状で備えられることができる。この際、上記弾性片３６０ｂの上部外面には、半径方向外側にラウンド状になるように突出された加圧勾配突起部３６１が備えられることが好ましい。
【０１３８】
ここにおいて、上記加圧勾配突起部３６１は、上記回転拘束部３３０の下降時に上記弾性片３６０ｂで上記昇降支持ホール３５１の内周に対面する部分から上記昇降支持ホール３５１の上部で露出された部分に沿って形成され得る。
【０１３９】
この際、上記加圧勾配突起部３６１は、上記昇降支持ホール３５１の最小内径を超過するように最大突出高さが設定されることが好ましい。例えば、上記加圧勾配突起部３６１の下部は、上記昇降支持ホール３５１の内径未満で突出され、上記加圧勾配突起部３６１の上部は、上記昇降支持ホール３５１の内径を超過するように突出され得る。この際、上記加圧勾配突起部３６１の上部は、回転拘束部３３０が下降された状態で上記昇降支持ホール３５１の上部に配置される部分であると理解することが好ましい。
【０１４０】
すなわち、上記加圧勾配突起部３６１は、上側に行くほど半径方向外側に傾斜した外面プロファイルを有することができ、上記弾性片３６０ｂの弾発締めおよび復元によって上記昇降支持ホール３５１が弾発支持され得る。
【０１４１】
これにより、上記回転拘束部３３０の下降時に上記昇降支持ホール３５１の縁部が上記加圧勾配突起部３６１の傾斜した外面によって下側に弾発支持されることが可能で、上記回転拘束部３３０の下降状態が安定的に維持され得る。
【０１４２】
この際、上記昇降支持ホール３５１の縁部は、上記昇降支持ホール３５１の最小内径部を意味する。例えば、上記昇降支持ホール３５１が一定の内径を有する円筒形である場合に、上記昇降支持ホール３５１の縁部は、上記加圧勾配突起部３６１の外面に直接接触することができる。また、上記昇降支持ホール３５１の内周に別の突出部３５１ａが備えられた場合には、上記突出部３５１ａの縁部が上記加圧勾配突起部３６１の外面に接触することができる。
【０１４３】
また、上記カバー部３７０の上面部３７０ｂには、上記弾性片３６０ｂの内周に挿入されるように支持突起３７３が突設されることが好ましく、上記支持突起３７３は、上記弾性片３６０ｂの内径に対応する外径を有するように備えられる。
【０１４４】
また、上記支持突起３７３の長さは、上記カバー部３７０の下降時に上記弾性片３６０ｂの内部に挿入され、上記カバー部３７０の上昇時に上記弾性片３６０ｂの外部に分離されるように設定することが好ましい。
【０１４５】
これにより、上記カバー部３７０の下降時に支持突起３７３によって上記弾性片３６０ｂの収縮が防止され、上記弾性片３６０ｂおよび加圧勾配突起部３６１を介した上記回転拘束部３３０の下側方向支持力を改善することができる。
【０１４６】
この際、上記カバー部３７０が上昇すると、上記支持突起３７３が上記弾性片３６０ｂから分離される。また、上記回転拘束部３３０の上昇につれて上記昇降支持ホール３５１の内周が上記加圧勾配突起部３６１の外面を加圧しながらスライド移動され、上記弾性片３６０ｂが半径方向内側に弾発的に締められることができる。これにより、上記リール部３２０が上記回転拘束部３３０から分離されて自由回転することができる。
【０１４７】
また、上記回転拘束部３３０に加えられた上昇方向の外力が解除されると、弾性片３６０ｂの半径方向外側の弾性復元力によって上記加圧勾配突起部３６１の傾斜面に沿って上記昇降支持ホール３５１の上端縁が下降加圧される。これにより、上記回転拘束部３３０がリール部３２０と結合されるように再下降され得る。
【０１４８】
一方、上記昇降支持ホール３５１の下端部内周には、半径方向内側に突設された固定突起部３５１ａが備えられることがさらに好ましい。また、上記加圧勾配突起部３６１の外面には、上記固定突起部３５１ａが弾発係止されるように半径方向内側に陥没された固定溝部３６１ａが備えられることが好ましい。
【０１４９】
ここにおいて、上記固定突起部３５１ａの内側端面および上記固定溝部３６１ａの陥没された面はラウンド状になるように備えられ、上記固定溝部３６１ａは、上記回転拘束部３３０の上昇時に上記固定突起部３５１ａの位置に対応するように形成される。
【０１５０】
この際、上記固定突起部３５１ａが上記固定溝部３６１ａの内部に挿入されて上記回転拘束部３３０の上昇状態が維持され得る。また、上記カバー部３７０を下側に軽くタッチすると、上記固定突起部３５１ａが固定溝部３６１ａから離脱され、上記弾性片３６０ｂの弾発復元力によって上記回転拘束部３３０が下降され得る。
【０１５１】
もちろん、上記回転拘束部３３０の上昇状態維持構造は、弾性片３６０ｂの長さを調節して、上記加圧勾配突起部３６１の上部に上側に行くほど半径方向内側に傾斜する勾配面を形成することで代替することができる。
【０１５２】
例えば、上記加圧勾配突起部３６１は、下降された回転拘束部３３０の昇降支持ホール３５１の内部に対応する部分から上記昇降支持ホール３５１の上部で露出する部分が上側に行くほど半径方向外側に傾斜する外面を有するように突設され得る。
【０１５３】
また、上記加圧勾配突起部３６１は、上昇した回転拘束部３３０の昇降支持ホール３５１の下端縁に対応する部分から傾斜方向が変化し、上側に行くほど半径方向内側に傾斜するように形成され得る。この際、傾斜方向が変化する上記加圧勾配突起部３６１の下部および上部の間の連結部は、ラウンド状になるように形成される。
【０１５４】
これにより、上記加圧勾配突起部３６１は、上記回転拘束部３３０の下降時に昇降支持ホール３５１の上端縁を下側に弾発支持し、上記回転拘束部３３０の上昇時には昇降支持ホール３５１の下端縁を上側に弾発支持することができる。
【０１５５】
もちろん、本発明に係るワイヤ締め装置１００は、履き物のみに用いられるものに限定されず、その他紐を締める帽子、カバンなどのように、本発明の技術的思想が適用される他の装置への適用も、本発明の権利範囲に属するといえる。
【０１５６】
以上説明したように、本発明は、上述した各実施例に限定されるものではなく、本発明の請求項で請求する範囲から逸脱せずに本発明の属する技術分野における通常の知識を有する者によって変形実施されることは可能であり、このような変形実施は本発明の範囲に属する。
【産業上の利用可能性】
【０１５７】
本発明は、ユーザーの身体サイズに合わせて締めるための紐ないしワイヤが適用された履き物、帽子、カバンなどの産業分野に有用に利用可能である。
【図１】
2019504654.tif 000003
【図２】
2019504654.tif 000004
【図３ａ】
2019504654.tif 000005
【図３ｂ】
2019504654.tif 000006
【図４ａ】
2019504654.tif 000007
【図４ｂ】
2019504654.tif 000008
【図５】
2019504654.tif 000009
【図６】
2019504654.tif 000010
【図７】
2019504654.tif 000011
【図８】
2019504654.tif 000012
【図９ａ】
2019504654.tif 000013
【図９ｂ】
2019504654.tif 000014
【国際調査報告】
2019504654.tif 000015
2019504654.tif 000016
2019504654.tif 000017
2019504654.tif 000018